(57)【要約】      （修正有）【課題】皮膚ガスを指から捕集するに際して指捕集具の開口部における指の密着を考案し、皮膚ガスの捕集精度を向上させた皮膚ガス指捕集具を提供する。【解決手段】指の皮膚ガス捕集具において、その下端開口部に天然或いは合成ゴムラテックスを主材料とした密閉部３が形成され、該密閉部下端が開口した指挿入口４を開設することにより、指との間隙を密閉したことを特徴とする。またこの皮膚ガス捕集具をサンプリング部２として用いて、多センサー皮膚ガス測定装置により皮膚ガスを測定するものである。【選択図】図２
0003184660.tif 000002
【実用新案登録請求の範囲】
【請求項１】
皮膚ガス捕集具の下端開口部に天然或いは合成ゴムラテックスを主材料とした密閉部が形成され、該密閉部下端が開口した指挿入口を開設することにより、指との間隙を密閉したことを特徴とする皮膚ガス捕集具。
【請求項２】
指挿入時の密閉部内面に凸部を突設したことを特徴とする請求項１記載の皮膚ガス捕集具。
【請求項３】
指の皮膚表面を覆い、その皮膚ガスを捕集する皮膚ガスサンプリング部と、捕集した皮膚ガスを送風するポンプ部を有し、ポンプ１からの送風ガスにより皮膚ガスはガス検知センサーへ導かれ、通過ガスが概センサーにより成分を検出した後、外部に放出されるようにして測定する皮膚ガスを用いたセンシング装置であり、該センシング装置のガス指捕集具をサンプリング部に用いたことを特徴とする請求項１記載の皮膚ガス指捕集具。
【考案の詳細な説明】
【技術分野】
【０００１】  本考案は、皮膚ガスを指から捕集するに際して指捕集具の開口部における指の密着を考案し、皮膚ガスの捕集精度を向上させた捕集具である。本皮膚ガス指捕集具を用いて多数のセンサーによりオンラインにて迅速に皮膚ガスを測定する装置における皮膚ガス捕集具に関する。
【背景技術】
【０００２】  従来、皮膚ガスの微量成分を定量するためには、皮膚ガスを採取して、濃縮して次いでガスクロマトグラフにより測定することが実施されている。
これまでに皮膚ガスについては、採集については、指からの採取（特許文献１）、腕からの採取（特許文献２）、が実施されており、これらのサンプリングを用いて得た皮膚ガス成分の測定は、皮膚ガス濃度が薄いために、試料皮膚ガスを低温装置に導入し濃縮したのち、ガスクロマトグラフにより皮膚ガス成分を測定している（非特許文献３）。
この手順では測定するための時間がかかる。
また皮膚ガスを指からサンプリングして、アルコールセンサーに導き、皮膚ガス中のアルコール濃度を測定し、アルコール摂取の判断に用いる方法を提供している。（特許文献４）。
しかしながらこれらの方法で、測定にガスクロマトグラフを用いる前記文献３の方法は、測定時間がかかり迅速にデータを被験者に提供することが出来ない欠点を持つ。またアルコールセンサーを用いる文献４の方法においては、迅速に結果を提供することはできるが、人がアルコールを摂取しているか否かの測定を行っており、人の健康情報はアルコールのみであり十分な健康に関するは情報が得られない欠点を持つ。
これらを解決するものとして、本出願人は指や腕、その他の人皮膚表面を覆い、その皮膚ガスを採集する皮膚ガスサンプリング部と、捕集した皮膚ガスを送風するポンプ部を有し、ポンプからの送風ガスにより皮膚ガスはガス検知センサーへ導かれ、検知センサーは直列に接続し、通過ガスセンサーにより成分を検出した後、外部に放出されるようにして測定することを特徴とする皮膚ガスを用いたセンシング装置を考案（特許文献５）し、解決したが、微量な指の皮膚ガスを精度よく捕集することがさらに必要であった。【０００３】
【特許文献１】特許公開  ２００６−２３４８４３号公報
【特許文献２】特許公開  ２００６−２３４８４４号公報
【非特許文献３】  Ｎｏｒｉｏ  Ｙａｍａｎｅ，Ｔａｋａｏ  Ｔｓｕｄａ，Ｋａｚｕｔｏｓｈｉ  Ｎｏｓｅ，Ａｋｉｋｏ  Ｙａｍａｍｏｔｏ，Ｈｉｒｏｓｈｉ  Ｉｓｈｉｇｕｒｏ，Ｔａｋａｈａｒｕ  Ｋｏｎｄｏ，Ｃｌｉｎｉｃａ  Ｃｈｉｍｉｃａ  Ａｃｔａ  ３６５，３２５−３２９（２００６）．
【特許文献４】特許公開  ２００９−１７５１１１号公報
【特許文献５】実用新案登録第３１７５４６０号公報
【考案が解決しようとする課題】
【０００４】    皮膚ガスを指から捕集する捕集具に関して、密閉系を形成するために用いる指への密着素材が指を圧迫すると血行が弱くなったり血行が阻害されたりする。皮膚ガス指捕集具に指を挿入したとき、該指の血行が通常状態から減少すると指の温度が下がり、指からの発汗量が低下し、指から放出される皮膚ガスの量が減少する困難がある。皮膚ガスを用いてヒトの体の状態をモニターするためには、できるだけ血行状態が通常に近いことが求められ、これを実現する課題があった。
また、多数の人に適用するために、皮膚ガス捕集具は使い捨てに適した形状を有し、容易に使用できる課題があった。
【課題を解決するための手段】
【０００５】  本考案は、皮膚ガスの指からのサンプリングを精度よく行うため、皮膚ガスサンプリング部に用いる皮膚ガス捕集具において、その下端開口部に天然或いは合成ゴムラテックスを主材料とした密閉部が形成され、該密閉部下端が開口した指挿入口を開設することにより、指との間隙を密閉したことを特徴とする皮膚ガス指捕集具である。
またこの皮膚ガス捕集具を用いて、指より皮膚ガスを捕集し、次いで多数のセンサーによりオンラインにて迅速に皮膚ガスを測定する装置に用いる皮膚ガス捕集具を考案した。
【考案を実施するための形態】
【０００６】  実施例を図面に従って説明すると、図１は、皮膚ガスを用いたセンシング装置Ａの構成図であり、図２及び図３は、皮膚ガスサンプリング部の捕集具２の斜視図であり、図２は、未使用時であり図３は使用時を示している。図４はゴムラッテクスが保持し易いように下端開口部近傍の外側に、溝を掘った状態を示している。
【０００７】  装置Ａは一定ガス流速を送れるポンプ送風部１、指から皮膚ガスを捕集する容器である皮膚ガスサンプリング部２、該皮膚ガスサンプリング部の捕集具２の密閉精度を高める密閉部３から構成されている。皮膚ガスサンプリング部には本考案の皮膚ガス指捕集具を用いた。装置Ａ各種センサーを直列にならべた検知部Ｂ、記録部１３及びガス放出部１４より構成される。
【０００８】  皮膚ガス捕集具としては、皮膚ガスを採集する皮膚ガスサンプリング部を形成している。該捕集具２は、天然或いは合成ゴムラテックスを主材料とした密閉部３からなり、該密閉部３下端が開口した指挿入口４を開設することにより、指との間隙を密閉したことを特徴とする皮膚ガスを用いたセンシング装置である。指を挿入する場合、指挿入口４に指を挿入することで、密閉部３は挿入に伴って反転しながら指周辺を密閉状態にしながら、皮膚ガスサンプリング部２内に指先の皮膚ガス発生部分が位置することとなる。
密閉部３は手術用手袋などに使用される材質と同種の材質である天然ゴムまたは人工ゴムラテックス等でできている。また、図４に示すように密閉部３の内側に凸部３ａを突設することによりさらに指との密閉度を増すことも可能である。
【０００９】  実施事例を示す。指からの皮膚ガスサンプリング部２は円筒形の形に前面に指の挿入可能な円形の穴を持つ薄膜を張り作成している。皮膚ガス指捕集具での皮膚ガスサンプリングにおいて指からの皮膚ガス捕集を２０秒間実施したのちに、指の周りの皮膚ガス約３０ｍｌをセンサー列に導入すると皮膚ガス成分の応答が得られた。センサーとして、湿度センサー、温度センサー、アセトンセンサー、アルコールセンサーを直列に配置して測定した。指からの皮膚ガス捕集の際にはプログラムにより自動的に皮膚ガス指捕集具内をクリーンなガスで４０秒間洗浄後、皮膚ガス捕集に移る。これらの動作は電磁バルブにより実施する。皮膚ガス捕集時間は２０秒と定めて行なった。アルコール、アセトン、湿度、温度の各センサーに応答が認められた。
【００１０】  実施事例として製作した皮膚ガス指捕集器を図５〜図８に図面代用写真で示した。
図５は皮膚ガス指捕集具の全体写真である。捕集具２は２個のガスラインを保有し、装置からのガスの導入部とガスの皮膚ガス捕集具からの出口とを持っている。捕集具の出口のガスラインは装置に接続され、皮膚ガスの装置への導入が行われる。
図６は本考案の天然ガスまたは合成ゴムラッテクスキャップの皮膚ガス指捕集具開口部の形状を示す。のこぎり状の波形を伴った凸部を有する。
図７は指を捕集具開口部より挿入した状態を示す。また図８は指を捕集具２に挿入した後に参考のために約１センチ引き出した時の写真である。のこぎり状の波形が効果的に指表面に接触して機密性を保っていることが認められる。
捕集具２の開口部に柔らかい天然ゴムラテックスを用いて、さらに波型の開口部形状を有することにより指への圧迫が非常に軽度であった。皮膚ガス指捕集具に指を挿入することに伴う血行への圧迫の苦痛はなく、また指捕集具に挿入した指表面の色は変化せず血行が平常に保たれていることが視認された。
【００１１】  皮膚ガスアセトン量は糖尿病やダイエットと関連を有する。装置表示部にアセトン量の多少を知らせる５段階機能をつけ、例えば数字４、数字５では健康に注意する必要があり、医師の診察を進めるためのアドバイスマークとした。
【考案の効果】
【００１２】  以上説明したように、本考案は指からの皮膚ガスの捕集について、適切な捕集具であり、指に圧迫を与えずに、かつ簡便で、使い捨て機能を有する指の皮膚ガス捕集具を考案した。この指の皮膚ガス捕集具は指の圧迫が非常に少なく、捕集された皮膚ガスは、身体の状態を反映したものであった。
さらに本考案を多数のセンサーを用いた測定装置のサンプリング部として使用すれば、皮膚ガスによる健康状態のモニターが精度よく実施できる。
皮膚ガスはこれまでに糖尿病疾患、慢性肝疾患、アルコール摂取との関連が報告されており、これらの疾病との推測に供することが可能となる。
【図面の簡単な説明】
【００１３】
【図１】本考案による皮膚ガス採取しセンサー列よる測定を行う装置の構成図である。
【図２】本装置の皮膚ガスサンプリング部の未使用時の斜視図である。
【図３】本装置の皮膚ガスサンプリング部の使用時の斜視図である。
【図４】本装置の他の実施例を示す部分拡大断面図である。
【図５】皮膚ガス指捕集具の全体写真
【図６】皮膚ガス指捕集具の天然ゴムラテックス素材を用いた開口部の先端形状の斜視図
【図７】皮膚ガス指捕集具に指を挿入した斜視図
【図８】皮膚ガス指捕集具へ指を挿入後、参考のために引きだしたときの天然ゴムラッテクスの素材の指への密着状態を示す斜視図
【符号の説明】  Ａ  皮膚ガスを用いたセンシング装置
Ｂ  検知部
１  ポンプ送風部
２  皮膚ガスサンプリング部（皮膚ガス捕集具）
３  密閉部
３ａ  凸部
４  指挿入口
５  半導体センサー
６  湿度センサー
７  アルコールセンサー
８  半導体センサー
９  水素センサー
１０  炭酸ガスセンサー
１１  イオウセンサー
１２  一酸化窒素センサー
１３  記録部
１４  ガス放出部
【図１】
0003184660.tif 000003
【図２】
0003184660.tif 000004
【図３】
0003184660.tif 000005
【図４】
0003184660.tif 000006
【図５】
0003184660.tif 000007
【図６】
0003184660.tif 000008
【図７】
0003184660.tif 000009
【図８】
0003184660.tif 000010